(57)【要約】【課題】顧客が別会計を希望するような場合において、有用なレシートとともに、所望の領収書などを簡便に発行するための技術を提供する。【解決手段】領収書発行システム（精算システム）は、客の購入対象の商品について登録を行う登録装置と、前記登録された商品について客が操作して精算を行う精算装置とを有する精算システムにおいて、前記精算装置は、前記登録装置において登録された一取引内の複数の商品を客の操作に応じて複数の商品群に分ける商品分割手段を備える。【選択図】図１
2017123204.tif 000002
【特許請求の範囲】
【請求項１】
客の購入対象の商品について登録を行う登録装置と、前記登録された商品について客が操作して精算を行う精算装置とを有する精算システムにおいて、
前記精算装置は、
前記登録装置において登録された一取引内の複数の商品を客の操作に応じて複数の商品群に分ける商品分割手段を備えることを特徴とする精算システム。
【請求項２】
前記精算装置は、
前記一取引内の複数の商品を特定するためのコードが付された印刷媒体を読み取る読取手段を更に備えることを特徴とする請求項１に記載の精算システム。
【請求項３】
前記登録装置は、
客の購入対象の商品について店員が操作して登録を行うものである
ことを特徴とする請求項１又は請求項２に記載の精算システム。
【請求項４】
客が操作して精算を行う精算装置であって、
一取引において登録された複数の商品を客の操作に応じて複数の商品群に分ける商品分割手段を備えることを特徴とする精算装置。
【請求項５】
客の購入対象の商品について登録を行う登録装置と、前記登録された商品について客が操作して精算を行う精算装置とを有する精算システムにおける前記精算装置のコンピュータを、
前記登録装置において登録された一取引内の複数の商品を客の操作に応じて複数の商品群に分ける商品分割手段
として機能させることを特徴とするプログラム。
【請求項６】
客が操作して精算を行う精算装置のコンピュータを、
一取引において登録された複数の商品を客の操作に応じて複数の商品群に分ける商品分割手段
として機能させることを特徴とするプログラム。
【発明の詳細な説明】
【技術分野】
【０００１】
本発明は、精算システム、精算装置、およびプログラムに関する。
【背景技術】
【０００２】
購入される商品（以下、「買上商品」とも称する。）を登録し、精算するシステムが知られている（例えば、特許文献１参照）。また、上述のようなシステムが導入されている店舗などには、自分自身の買い物と一緒に、例えば、社用の買い物を含む、知人から依頼された買い物をする顧客も来店する。顧客は、本来は別会計である、自分自身の買上商品と依頼された買上商品とを分けずに纏めて購入することも少なくない。
【先行技術文献】
【特許文献】
【０００３】
【特許文献１】特開平４−２８４５９８号公報
【発明の概要】
【発明が解決しようとする課題】
【０００４】
しかしながら、自分自身の買上商品と依頼された買上商品とを分けずに纏めて購入した場合には、自分自身の買上商品と依頼された買上商品とを合わせた全部の明細シートが発行される。従って、依頼者に依頼分の商品を渡す際に、依頼分の金額を消費税なども考慮しつつ計算するなど依頼者との間の精算作業が面倒であった。また、双方が、控えとして明細シートを欲するような場合には、明細シートをコピーし、かつ、夫々が夫々の買上商品に印などを付ける必要もあった。また、店員は、顧客から、個別の領収書（顧客自身の買上商品分の領収書、または／および、依頼された買上商品分の領収書）の発行を要求された場合には、必要枚数分、領収書毎に該当金額を計算し、夫々、発行しなければならず、作業負荷が大きかった。
【０００５】
本発明は、上記問題を考慮してなされたものであり、例えば、自分自身の買い物と依頼された買い物などのように、顧客が別会計を希望するような場合において、有用なレシートとともに、所望の領収書などを簡便に発行するための技術を提供することを目的とする。 
【課題を解決するための手段】
【０００６】
上記問題を解決するために、本発明の一態様である精算システムは、客の購入対象の商品について登録を行う登録装置と、前記登録された商品について客が操作して精算を行う精算装置とを有する精算システムにおいて、前記精算装置は、前記登録装置において登録された一取引内の複数の商品を客の操作に応じて複数の商品群に分ける商品分割手段を備えることを特徴とする。
【０００７】
上記精算システムにおいて、前記精算装置は、前記一取引内の複数の商品を特定するためのコードが付された印刷媒体を読み取る読取手段を更に備えるものであってもよい。
【０００８】
上記精算システムにおいて、前記登録装置は、客の購入対象の商品について店員が操作して登録を行うものであってもよい。
【０００９】
上記問題を解決するために、本発明の他の態様である精算装置は、客が操作して精算を行う精算装置であって、一取引において登録された複数の商品を客の操作に応じて複数の商品群に分ける商品分割手段を備えることを特徴とする。
【００１０】
上記問題を解決するために、本発明の他の態様であるプログラムは、客の購入対象の商品について登録を行う登録装置と、前記登録された商品について客が操作して精算を行う精算装置とを有する精算システムにおける前記精算装置のコンピュータを、前記登録装置において登録された一取引内の複数の商品を客の操作に応じて複数の商品群に分ける商品分割手段として機能させることを特徴とするプログラムである。
【００１１】
上記問題を解決するために、本発明の他の態様であるプログラムは、客が操作して精算を行う精算装置のコンピュータを、一取引において登録された複数の商品を客の操作に応じて複数の商品群に分ける商品分割手段として機能させることを特徴とするプログラムである。
【発明の効果】
【００１２】
本発明によれば、例えば、自分自身の買い物と依頼された買い物などのように、顧客が別会計を希望するような場合に、別会計毎に複数の商品群に分けることにより、例えば、商品群毎の領収書などを簡便に発行することができる。
【図面の簡単な説明】
【００１３】
【図１】本発明の一実施形態に係る精算システムが稼働している様子を表す図である。
【図２】本発明の一実施形態に係る精算システムのネットワーク構成図である。
【図３】買上履歴情報の一例である。
【図４】登録装置が備えるタッチパネルに表示される登録画面の一例である。
【図５】お会計シートの一例である。
【図６】お会計シートの他の例である。
【図７】精算装置が表示する確認画面の一例である。
【図８】一括領収書、明細シート、商品群別領収書の一例である。
【図９】登録装置の構成を表すブロック図である。
【図１０】精算装置の構成を表すブロック図である。
【図１１】登録装置の動作の一例を示すフローチャートである。
【図１２】精算装置の動作の一例を示すフローチャートである。
【発明を実施するための形態】
【００１４】
以下、本発明の一実施形態について図面を参照して説明する。図１は、本発明の一実施形態に係る精算システム１が稼働している様子を表す図である。精算システム１は、店舗フロアに設置される。精算システム１は、図１に示すように、登録装置１０と、精算装置２０、ストアコントローラ３０とを備える。なお、ストアコントローラ３０は、店舗フロアではなく店舗のバックヤードに設置されるため、図１において非図示としている。また、図１に図示した登録装置１０及び精算装置２０の各設置数は、一例であって、例えば、店舗の規模及びコストに応じて設置数を決定してもよい。また、図１において、登録カウンタ１１は、登録装置１０の設置台である。精算カウンタ２１は、精算装置２０の設置台である。符号Ｓは、登録装置１０を操作するオペレータ（店員）である。符号Ｃは、店舗に来店した顧客である。
【００１５】
図２は、精算システム１のネットワーク構成図である。図２に示すように、ストアコントローラ３０、複数の登録装置１０（１０ａ、１０ｂ、…）、複数の精算装置２０（２０ａ、２０ｂ、…）の夫々は、ＬＡＮ４０を介して通信可能に接続されている。ストアコントローラ３０は、コンピュータ（サーバ）である。ストアコントローラ３０は、ストアコントローラ記憶部（非図示）と、ストアコントローラ通信部（非図示）とを備える。ストアコントローラ記憶部は、精算システム１全体で参照する情報を記憶する。例えば、ストアコントローラ記憶部は、精算システム１において商品を識別する商品コード（例えば、ＪＡＮコード）、商品名、単価などを保持する商品ファイルを記憶する。また、ストアコントローラ記憶部は、例えば、図３に示すような、買上履歴情報を記憶する。
【００１６】
図３は、買上履歴情報の一例である。図３に示す買上履歴情報は、取引番号、分割枝番号、商品コード、買上点数の項目を有する。取引番号は、精算システム１において各取引を識別するための識別情報である。取引番号の項目には、登録装置１０において実行された各取引の取引番号が記憶される。なお、本実施例の場合、取引番号の上位２桁は登録装置１０の装置番号、下位４桁は昇順に生成（採番）されるシリアル番号である。
【００１７】
分割枝番号は、１取引の複数の商品（同一顧客において登録される複数の商品）について明細シート（少なくとも登録された各商品の品目に関する情報を記したシート）を複数の商品群に分けて発行する旨の宣言（換言すれば、１取引の複数の商品を複数の商品群に分けて各商品群に対応する複数の明細シートを発行する旨の宣言。以下、「分割宣言」という）をした場合において、各明細シートに対応する商品群（１つの場合は商品、以下、同様）を示す枝（子）番号である。つまり、分割枝番号は、１取引において登録する複数の商品を分割した際の分割された夫々の商品群を示す枝番号である。
【００１８】
例えば、図３に示す、取引番号「１１０００２」における分割枝番号「１」は、取引番号「１１０００２」の取引において１回目の分割宣言前に登録した商品群を示している。取引番号「１１０００２」における分割枝番号「２」は、取引番号「１１０００２」の取引において１回目の分割宣言後であって２回目の分割宣言前に登録した商品群を示している。取引番号「１１０００２」における分割枝番号「３」は、取引番号「１１０００２」の取引において２回目の分割宣言後に登録した商品群を示している。つまり、取引番号「１１０００２」において、分割枝番号「１」は、取引番号「１１０００２」の取引を３つに分割して登録した際の１つ目の商品群を示し、分割枝番号「２」は２つ目の商品群を示し、分割枝番号「３」は３つ目の商品群を示している。このように、一取引中で分割された商品群を分割枝番号として記憶しておくことで、後述の明細シート、商品群別領収書を各商品群毎に発行することができる。商品コードの項目には、取引番号（分割宣言をした場合は分割枝番号）毎の買上商品の商品コードが記憶される。買上点数の項目には、買上商品毎の買上点数が記憶される。
【００１９】
ストアコントローラ通信部は、登録装置１０から取引情報を受信し、受信した取引情報をストアコントローラ記憶部に記憶されている買上履歴情報に追加する。また、ストアコントローラ通信部は、精算装置２０の要求に応じて、ストアコントローラ記憶部に記憶されている買上履歴情報から取引情報を読み出して精算装置２０に送信する。登録装置１０は、オペレータＳにより操作され、顧客Ｃの買上商品に付されたバーコードを読み取ることにより、買上商品の登録処理を実行し、取引情報を生成し、取引完了後、生成した取引情報をストアコントローラ３０に送信するとともに、１枚のお会計シートを発行する。顧客Ｃは、オペレータＳからお会計シートを受け取って、精算カウンタ２１に移動する。なお、登録装置１０は、１取引の実行中（登録処理中）に、分割宣言をした場合には、分割枝番号を生成（採番）し、分割枝番号毎に登録処理を実行する。
【００２０】
次に、図４を参照しながら、登録装置１０において買上商品の登録中に分割宣言を実行する要領について説明する。図４は、登録装置１０が備えるタッチパネルに表示される登録画面の一例を示している。図４の登録画面には、順番に「新巻鮭」「味付ほたて」「さざえ」「フルーツカクテル」「フルーツカクテル」「タルトポワール」の商品が登録されている。また、図４の登録画面の右下隅には「検索登録」「お会計券」「未精算」と並び「分割精算」のキー（アイコン）が表示されている。登録装置１０のオペレータは「分割精算」のキーを押すことにより、分割宣言を実行する。例えば、買上商品に付されたバーコード読み取りによって「新巻鮭」「味付ほたて」「さざえ」が登録された後に、登録画面の「分割精算」キーを押し、その後に「フルーツカクテル」「フルーツカクテル」「タルトポワール」を登録する。そうすると「分割精算」キーを押すまでの商品群と押した後の商品群とが分割され、両者に異なる分割枝番号が与えられる。この結果、「新巻鮭」「味付ほたて」「さざえ」が分割一人目の顧客に対応する購入商品となり、「フルーツカクテル」「フルーツカクテル」「タルトポワール」が分割二人目の顧客に対応する購入商品となる。
【００２１】
このような分割宣言がなされた状態で登録画面の「お会計券」キーを押すと、図５に示すお会計シートが印字出力される。図５のお会計シートには、登録装置１０のオペレータが「分割精算」キーを一度押したことに対応して、分割された分割精算の回数が２回である旨が記載されている。このような分割精算は最大５回までに制限することが好ましい。あまりに細かく精算を分割すると、精算時の領収書や明細書の発行が過大な負担となるからである。そのため、オペレータは、登録装置１０の「分割精算」キーを４回まで押すことができ、これを超えて「分割精算」キーを５回押すと、登録装置１０のタッチパネルには「分割精算の分割回数上限です」というエラーメッセージが表示される。
【００２２】
図６は、お会計シートの他の例を示す図である。図６（ａ）は、登録装置１０が、分割宣言をしていない取引（図３に示す取引番号「１１０００１」）において発行するお会計シートの一例である。図４（ｂ）は、登録装置１０が、分割宣言をした取引（図３に示す取引番号「１１０００２」）において発行するお会計シートの一例である。
【００２３】
登録装置１０は、分割宣言をした取引（取引番号「１１０００２」の取引）においては、図６（ｂ）に示すようなお会計シートを発行する。図６（ｂ）に示すお会計シートに印刷された「＃  １１０００２（１／３）」における「１１０００２（１／３）」は、取引番号と分割枝番号とから構成された番号である（「＃  １１０００２（２／３）」における「１１０００２（２／３）」及び「＃  １１０００２（３／３）」における「１１０００２（３／３）」も同様）。図６（ｂ）に示すお会計シートに印刷された二次元バーコードは、取引情報の少なくとも一部（例えば、取引番号＋分割枝番号）をコード化した二次元バーコードである。つまり、当該取引情報の明細情報（例えば、商品名、単価、買上点数）を特定するための情報である「取引番号＋分割枝番号」のみをコード化した二次元バーコードをお会計シートに印刷してもよいし、「取引番号＋分割枝番号」に加えて上記明細情報をコード化した二次元バーコードをお会計シートに印刷してもよい。例えば、登録装置１０は、図６（ｂ）に示すように、取引番号「１１０００２」と分割枝番号「１」「２」「３」とに基づいて、お会計シートに、印刷日などに加え、「＃  １１０００２（１／３）」と「＃  １１０００２（２／３）」と「＃  １１０００２（３／３）」とを印刷するとともに、少なくとも、「１１０００２（１／３）」と「１１０００２（２／３）」と「１１０００２（２／３）」とをコード化した二次元バーコードを印刷する。なお、「取引番号＋分割枝番号」のみをコード化した二次元バーコードをお会計シートに印刷する態様においては、例えば、二次元バーコードから「取引番号＋分割枝番号」を抽出し（読み取って）、抽出された「取引番号＋分割枝番号」によって特定される明細情報をストアコントローラ３０から取得すればよい。
【００２４】
以上のように、登録装置１０は、分割宣言をしなかった場合には、取引番号を保持した会計シートを発行し、分割宣言をした場合には、取引番号と分割枝番号とを保持したお会計シートを発行する。つまり、登録装置１０は、分割宣言の有無にかかわらず、１枚のお会計シートを発行する。即ち、登録装置１０は、分割宣言をした場合であっても、同一顧客において登録された商品（１取引において登録された複数の商品）に関する情報を１つの情報に纏めて、１枚のお会計シートに出力する。
【００２５】
精算装置２０は、顧客Ｃにより操作され、お会計シートに印刷されているバーコードを読み取って、読み取ったバーコードに基づいて、明細情報（例えば、商品名、単価、買上点数）を表示する。例えば、精算装置２０は、図６（ｂ）に示す二次元バーコードを読み取った場合、図６（ｂ）に示す二次元バーコードに基づいて、図７に示すような明細情報（商品名、単価、買上点数）を出力する確認画面を表示する。図７は、精算装置２０が表示する確認画面の一例である。つまり、精算装置２０は、「＃  １１０００２（１／３）」に基づいて、取引番号「１１０００２」の取引の分割枝番号「１」において登録された商品群の商品コード、及び、夫々の買上点数をストアコントローラ３０から取得し、ストアコントローラ３０から取得した商品コードに基づいて商品ファイルから商品名及び単価「［商品名「ＡＡチーズ」，単価「５００円」］，［商品名「ＢＢ牛乳」、単価「３００円」］」を取得し、「＃  １１０００２（１／３）」に対応する明細情報「ＡＡチーズ  ５００円  １  ＢＢ牛乳  ３００円  １」を図７に示すように表示する。「＃  １１０００２（２／３）」に対応する明細情報「ＣＣ油  ５００円  １  ＤＤ肉  １０００円  １」、「＃  １１０００２（３／３）」に対応する明細情報「ＥＥチップス  ２００円  １  ＦＦチョコレート  ３００円  １」について同様である。また、図７に示す例において、各明細情報の表示欄に「＃  １１０００２（１／３）」「＃  １１０００２（２／３）」「＃  １１０００２（３／３）」を表示してもよい。
【００２６】
精算装置２０は、分割宣言がなされていない取引の精算が完了した場合には単一の領収書を発行し、分割宣言がなされている取引の精算が完了した場合には、全ての購入商品の一括領収書、商品群毎の複数の明細シート、商品群毎の商品群別領収書を発行する。図８は、精算装置２０が発行する一括領収書、明細シート、商品群別領収書の一例である。精算装置２０は、図７に示す取引（取引番号「１１０００２」）の精算が完了した場合には、例えば、図８（ａ）に示す一括領収書、図８（ｂ）〜（ｄ）に示す分割枝番号毎の明細シート、図８（ｅ）〜（ｇ）に示す商品群別領収書をこの順番で発行する。
【００２７】
つまり、分割宣言がなされた場合であっても、精算装置２０は、全商品について一括精算し（商品全体について金銭を授受し）、精算後に、全商品の合計金額、預かり金額、釣銭額等を印字した図８（ａ）に示すような領収書（一括領収書）を発行する。
【００２８】
また、精算装置２０は、一括領収書に加えて、分割された商品群が確かに購入されたことを示すために、図８（ｂ）〜（ｄ）に示すような明細シートを発行する。この明細シートには、分割されて登録された商品の品名、購入個数、金額、その商品群の合計金額が印字されている。本実施の形態では、取引そのものを分割しているものではないので、明細シートには、分割して登録されたそれぞれの商品群における購入商品とその金額、及び合計金額が印字されているだけである。
【００２９】
また、精算装置２０は、分割された商品群について確かに金銭の授受がなされたことを示すために、図８（ｅ）〜（ｇ）に示すような商品群別領収書を発行する。即ち、精算装置２０は、一括領収書や明細シートに加えて、商品群別領収書を発行する。この商品群別領収書には、商品群毎の合計金額と、この商品群毎の合計金額を領収した旨の文言とが記載されている。例えば、「＃  １１０００２（１／３）」の分割取引に対応する明細シートは図８（ｂ）に示した明細シートであり、「＃  １１０００２（１／３）」の分割取引に対応する商品群別領収書は図８（ｅ）に示した商品群別領収書である。同様に、「＃  １１０００２（２／３）」の分割取引に対応する明細シートは図８（ｃ）に示した明細シートであり、「＃  １１０００２（２／３）」の分割取引に対応する商品群別領収書は図８（ｆ）に示した商品群別領収書である。同様に、「＃  １１０００２（３／３）」の分割取引に対応する明細シートは図８（ｄ）に示した明細シートであり、「＃  １１０００２（３／３）」の分割取引に対応する商品群別領収書は図８（ｇ）に示した商品群別領収書である。
【００３０】
一括領収書、明細シート、商品群別領収書の各シートの間にはミシン目が設けられていてもよいし、各シートは分断寸前で繋がっていてもよい。繋がった状態で取り扱えば一部のシートを紛失したりするおそれが低減する。各シートは完全に分離した状態で発行されてもよい。
【００３１】
図９は、登録装置１０の構成を表すブロック図である。登録装置１０は、図９に示すように、ＣＰＵ１０１と、ＲＯＭ１０２と、ＲＡＭ１０３と、スキャナ部１０４と、店員用表示部１０５と、客用表示部１０６と、ハードディスク１０７と、店員用操作部１０８と、通信部１０９と、ブザー１１０と、印刷部１１１と、バス１１２とを備える。これらは、バス１１２を介して互いに接続されている。ＲＯＭ１０２は、種々の情報を記憶する。例えば、ＲＯＭ１０２は、商品登録処理をＣＰＵ１０１に実行させるための商品登録プログラムを記憶する。また、ＲＯＭ１０２は、自装置を識別させるための装置番号を記憶する。スキャナ部１０４は、商品に付されたバーコードを光学的に読み取って、読み取ったバーコードによって表される商品データをＲＡＭ１０３に記憶させる。また、スキャナ部１０４は、オペレータＳを識別するための担当者名（担当者番号）を名札等から光学的に読み取って、読み取った担当者名をＲＡＭ１０３に記憶させる。
【００３２】
ＲＡＭ１０３は、種々の情報を一時記憶する。例えば、ＲＡＭ１０３は、ＲＯＭ１０２から読み出された商品登録プログラムを一時記憶する。また、ＲＡＭ１０３は、商品登録プログラムが実行されることによって生成される種々の変数、データ（例えば、スキャナ部１０４が読み取った商品データ、担当者名）を一時記憶する。また、ＲＡＭ１０３は、取引情報を一時記憶する。また、ＲＡＭ１０３は、ストアコントローラ３０から供給された商品ファイルを一時記憶してもよい。ＣＰＵ１０１は、ＲＯＭ１０２に記憶された商品登録プログラムを読み出してＲＡＭ１０３に展開し、展開した商品登録プログラムの各ステップを実行することにより、登録装置１０全体を制御する。例えば、ＣＰＵ１０１は、商品登録の実行を制御し、取引情報の生成を制御し、二次元バーコードの生成及びお会計シートの発行を制御する。なお、ＣＰＵ１０１は、商品登録の実行に関連し、上述の如く、分割宣言の実行を顧客Ｃから受け付ける機能及び分割枝番号毎に分けて登録する機能を制御する。
【００３３】
店員用表示部１０５は、例えば、液晶ディスプレイ装置であり、オペレータＳに対して情報を表示する。店員用表示部１０５が表示する情報の一例は、買上商品の商品名、買上点数、販売単価などである。客用表示部１０６は、例えば、液晶ディスプレイ装置であり、顧客Ｃに対して情報を提示する。客用表示部１０６は、例えば、店員用表示部１０５が表示している情報と同一の情報を表示する。ハードディスク１０７は、例えば、磁気記録装置であり、ストアコントローラ３０から供給された商品データファイルを記憶する。ハードディスク１０７は、商品登録プログラムを記憶してもよい。店員用操作部１０８は、オペレータＳからの種々の操作を受け付けるための各種キーを備える。店員用操作部１０８は、例えば、「分割精算」キー、「終了」キー、「追加」キー、金額等を指定入力するための数字キーなどを備える。通信部１０９は、ＬＡＮ４０を介して外部の装置と通信するための通信インタフェースである。ブザー１１０は、確認音、警告音などを発生させるための音発生部である。印刷部１１１は、お会計シートを印刷して発行する。
【００３４】
図１０は、精算装置２０の構成を表すブロック図である。精算装置２０は、図１０に示すように、ＣＰＵ２０１と、ＲＯＭ２０２と、ＲＡＭ２０３と、スキャナ部２０４と、表示部２０５と、客用操作部２０６と、通信部２０７と、ブザー２０８と、印刷部２０９と、釣銭機２１０と、バス２１１とを備える。これらは、バス２１１を介して互いに接続されている。ＲＯＭ２０２は、種々の情報を記憶する。例えば、ＲＯＭ２０２は、精算処理をＣＰＵ２０１に実行させるための精算プログラムを記憶する。また、ＲＯＭ２０２は、自装置を識別させるための装置番号を記憶する。スキャナ部２０４は、お会計シートに印刷された二次元バーコードを光学的に読み取って、読み取った二次元バーコードによって表されていた情報をＣＰＵ２０１に出力する。
【００３５】
ＲＡＭ２０３は、種々の情報を一時記憶する。例えば、ＲＡＭ２０３は、ストアコントローラ３０から供給された商品ファイルを一時記憶する。また、ＲＡＭ２０３には、ＲＯＭ２０２から読み出された精算プログラムを一時記憶する。また、ＲＡＭ２０３は、精算プログラムが実行されることによって生成される種々の変数、データ（例えば、釣銭額）を一時記憶する。また、ＲＡＭ２０３は、二次元バーコードによって表されていた情報を一時記憶する。なお、ストアコントローラ３０から供給された取引情報を一時記憶してもよい。ＣＰＵ２０１は、ＲＯＭ２０２に記憶された精算プログラムを読み出してＲＡＭ２０３に展開し、展開した精算プログラムの各ステップを実行することにより、精算装置２０全体を制御する。例えば、ＣＰＵ２０１は、確認画面（図７参照）の表示を制御し、精算処理を制御し、一括領収書、明細シート、商品群別領収書の発行を制御する。
【００３６】
表示部２０５は、例えば、液晶ディスプレイ装置であり、顧客Ｃに対して情報を表示する。表示部２０５が表示する情報の一例は、確認画面（図７参照）である。客用操作部２０６は、タッチパネル式の入力装置である。客用操作部２０６は、表示部２０５に表示されたＧＵＩ操作ボタンに対する操作に応じて、操作信号をＣＰＵ２０１に出力する。ＧＵＩ操作ボタンの一例は、精算処理を指示するキー（図７に示す「お会計」ボタン）などである。通信部２０７は、ＬＡＮ４０を介して外部の装置と通信するための通信インタフェースである。ブザー２０８は、確認音、警告音などを発生させるための音発生部である。印刷部２０９は、受領書及び明細シートを印刷して発行する。釣銭機２１０は、現金の投入口及び排出口が備えられている。釣銭機２１０は、顧客Ｃによって投入口に投入された現金を計数して、その入金額をＣＰＵ２０１に通知する。また、釣銭機２１０は、ＣＰＵ２０１から通知された釣銭額に基づいて、その釣銭額と等しい額の現金を排出口から排出する。 
【００３７】
図１１は、登録装置１０の動作の一例を示すフローチャートである。図１１に示すフローチャートは、ある顧客に対する商品登録（ステップＳ１０）により開始する。図１１に示す各ステップは、ＣＰＵ１０１が制御する。なお、本フローチャートの開示時において、本取引の取引番号は既に生成（採番）されているものとする（ステップＳ２２参照）。
【００３８】
ステップＳ１０：スキャナ部１０４により買上商品に付されたバーコードを読み取ることで、取引を開始する。つまり、取引情報（取引番号、商品コード、買上点数）をＲＡＭ１０３に記憶する。
【００３９】
ステップＳ１２：「分割精算」キーが押下されたか否かを判断する。つまり、分割宣言をするか否かを判断する。ステップＳ１２がＹＥＳの場合はステップＳ１４へ進む。ステップＳ１２がＮＯの場合はステップＳ１６へ進む。
【００４０】
ステップＳ１４：分割枝番号を生成（採番）する（なお、１回目のステップＳ１４においては分割枝番号「１」及び「２」を生成し、２回目以降の各回においては分割枝番号「３」以降を順次生成する）。
【００４１】
ステップＳ１６：スキャナ部１０４による商品登録があったか否かを判断する。ステップＳ１６がＹＥＳの場合はステップＳ１２に戻る。ステップＳ１６がＮＯの場合はステップＳ１８へ進む。
なお、ステップＳ１４を経ずにステップＳ１２からステップＳ１６に飛びステップＳ１６がＹＥＳの場合には、直前に登録された商品の商品群と同じ商品群として、商品コード及び買上点数をＲＡＭ１０３に記憶する。即ち、前回の商品登録と今回の商品登録の間に分割宣言をしなかった場合には、今回の登録商品を、前回の登録商品と同じ商品群の商品とする。
一方、ステップＳ１２からステップＳ１４を経てステップＳ１６がＹＥＳの場合には、直前に登録された商品の商品群と異なる新たな商品群として、商品コード及び買上点数をＲＡＭ１０３に記憶する。即ち、前回の商品登録と今回の商品登録の間に分割宣言をした場合には、今回の登録商品を、前回の登録商品と同じ商品群ではなく新たな商品群の商品とする。
【００４２】
ステップＳ１８：「終了」キーが押下されたか否かを判断する。つまり、取引を完了させるか否かを判断する。ステップＳ１８がＹＥＳの場合はステップＳ２０に進む。ステップＳ１８がＮＯの場合はステップＳ１６に戻る。
【００４３】
ステップＳ２０：ＲＡＭ１０３に記憶された当該取引で記憶された全ての取引情報（図３における当該取引番号における分割枝番号や、その枝番号毎の商品コードや、その個数）に基づいて二次元バーコードを生成し、生成した二次元バーコードを印刷したお会計シートを発行する。具体的には、商品登録の開始から「終了」キーの押下迄の間に「分割精算」キーが１回も押下されなかった場合には、取引番号の他、当該取引における全ての取引情報を二次元バーコード化した会計シート（例えば、図６（ａ）に示すようなお会計シート）を発行し、商品登録の開始から「終了」キーの押下迄の間に「分割精算」キーが１回以上押下された場合には、取引番号及び分割枝番号の他、商品コードや買上個数等の全ての情報を二次元バーコード化したお会計シート（例えば、図６（ｂ）に示すようなお会計シート）を発行する。
ステップＳ２２：次の顧客の取引に用いる取引番号を新たに生成する。そして、本フローチャートは終了する。
【００４４】
なお、ステップＳ１４の後にステップＳ１６（ＹＥＳ）が１度もなくステップＳ１８（ＹＥＳ）になった場合、即ち、分割宣言後に何も商品登録せずに取引を完了させる場合には、ステップＳ２０を実行する前に、直前のステップＳ１４の処理をキャンセルする（例えば、直前のステップＳ１４にて生成され、ＲＡＭ１０３に記憶された分割枝番号を削除する）。
【００４５】
図１２は、精算装置２０の動作の一例を示すフローチャートである。図１２に示すフローチャートは、ある顧客のお会計シートの読み取り（ステップＳ４０）により開始する。図１２に示す各ステップは、ＣＰＵ２０１が制御する。
【００４６】
ステップＳ４０：スキャナ部２０４により当該顧客のお会計シートに印刷された二次元バーコードを読み取る。これにより、確認画面の表示に必要な情報を取得する。
ステップＳ４２：表示部２０５に確認画面を表示する。
ステップＳ４４：釣銭機２１０の現金投入口から預り金額の投入（入金）を受け付ける。
ステップＳ４６：お会計キーの押下を受け付ける。
ステップＳ４８：合計金額と預り金額とから釣銭額を算出する。
【００４７】
ステップＳ５０：一括領収書、明細シート、商品群別領収書を発行する。具体的には、ステップＳ４０にて、分割枝番号を保持していない会計シート（例えば、図６（ａ）に示すようなお会計シート）を読み取っていた場合には、受領書のみを発行し、分割枝番号を保持しているお会計シート（例えば、図６（ｂ）に示すようなお会計シート）を読み取っていた場合には、図８（ａ）〜（ｇ）に示すように、一括領収書、明細シート、商品群別領収書を発行する。
ステップＳ５２：ステップＳ４６において算出した釣銭額を釣銭機２１０の現金排出口から排出する。そして、本フローチャートは終了する。
【００４８】
以上、本実施形態に係る精算システム１によれば、顧客が別会計を希望するような場合において、有用なレシートとともに、所望の領収書などを簡便に発行することができる。つまり、自分自身の買い物と依頼された買い物などのように、顧客が別会計を希望するような場合において、有用なレシート（例えば、一括領収書、商品群毎の明細シートなど）とともに、所望の領収書（例えば、商品群毎の商品群別領収書）などを簡便に発行することができる。また、別会計とする場合（分割宣言をした場合）においても、１枚のお会計シートに基づき精算されるので、一部を未精算のまま退店することがなく、確実に精算をさせることができる。
【００４９】
また、顧客は、例えば、全ての購入商品や購入サービスの精算代金を記載した一括領収書と、分割された商品群毎の精算代金を記載した商品群別領収書との両方を取得することが可能となる。さらに、顧客は、複数の明細シートを入手した場合には、別会計とすべき商品群毎に、登録された商品の品目に関する情報を確認することが可能となる。そのため、一括領収書、明細シート、商品群別領収書を参照または使用することにより、商品群別の整理や金銭の授受、税務申告などが自在に行えるようになる。
【００５０】
なお、本実施形態において、一括領収書と商品群別領収書とが発行された場合には、顧客が両方の領収書を用いて、同一商品について二重に税務申告を行う可能性がある。二重申告の問題を解決するために、精算装置２０は、一括領収書と商品群別領収書とを発行する際には、一括領収書には、商品群別領収書を発行した旨（「分割領収書発行済み」「重複領収書あり」などの文言）を記載してもよい。換言すれば、精算装置２０は、商品群別領収書を発行した旨を記載した一括領収書を発行してもよい。
【００５１】
なお、商品群別領収書を発行した旨を記載した一括領収書を発行せずに、二重申告の問題を解決するには、店員が、発行した一括領収書を回収するか、一括領収書に商品群別領収書を発行済みであることを手書き記載して捺印することが必要になる。つまり、顧客は、本来セルフ対応が可能な精算装置２０の設置場所に、一括領収書や商品群別領収書に収入印紙を貼る必要が生じた場合と同じように、店員を呼び出さなければならないので、顧客にとっても店員にとっても面倒である。なお、収入印紙を貼る必要が生じる場合とは、一括領収書や商品群別領収書に税務署承認済みの印字がなく、精算額が高額（例えば３万円以上）となる場合などである。
【００５２】
一方、明細シートは、分割して登録されたそれぞれの商品群における購入商品とその金額、及び合計金額が印字されているだけであり、金銭の授受についての記載がないので税務申告に用いられることはない。領収書とは法的意義の異なる書面であることを強調するために、精算装置２０は、明細シートに「請求明細書」の文言を印字しておいてもよい。なお、印紙税欄を設ける場合には、領収書としての効力を有する一括領収書と商品群別領収書とにのみ設ける。印紙税の計算に関しては、分割精算は一人の顧客の精算を便宜的に分割したものであることを考慮して、全精算の合算額に基づいて計算する。商品群別領収書には全精算の合算額に基づいて計算した印紙税を記載する。また、一括領収書には、預り金やお釣りなどの金銭の授受を示す情報が記載されるが、商品群別領収書には、このような情報は記載されてもよいし、記載されなくてもよい（図８参照）。
【００５３】
また、上記実施形態では、一括領収書の品目リスト（買上商品の品名等を一覧表示した部分）において、商品群別領収書が発行される商品群の商品と、商品群別領収書が発行されない商品群の商品とを区別する印字がなされてもよい。例えば、商品群別領収書が発行される商品群の商品に（例えば、品目リスト上の当該商品の商品名の近傍に）、所定のマーク（例えば星印）や所定の文字（例えば「済」）などを印字してもよい。また、商品群別領収書が発行される商品群の商品について、該商品が含まれる商品群を区別する印字がなされていてもよい。例えば、第１の商品群別領収書に含まれる商品群の各商品に、所定の文字（例えば「第１」）などを印字し、第２の商品群別領収書に含まれる商品群の各商品に、所定の文字（例えば「第２」）などを印字してもよい。また、図７に示した確認画面において、商品群別領収書を発行する商品群と商品群別領収書を発行しない商品群とを区別する表示がなされていてもよい。例えば、商品群別領収書を発行する商品群の表示を点滅させたり、反転させたり、商品群別領収書を発行しない商品群とは異なる色にて表示したりするなど、商品群別領収書を発行しない商品群とは異なる表示態様としてもよい。
【００５４】
なお、上記実施形態では、一括領収書と、分割枝番号毎の明細シートと、商品群別領収書とを発行する場合には、一括領収書、分割枝番号毎の明細シート、商品群別領収書の順番に発行するものとしたが、精算装置２０は、商品群毎に纏めた状態で明細シート及び商品群別領収書を発行してもよい。即ち、精算装置２０は、例えば、図８（ａ）の一括領収書、図８（ｂ）〜（ｄ）の分割枝番号毎の明細シート、図８（ｅ）〜（ｇ）の商品群別領収書の順に発行することに代えて、図８（ａ）の一括領収書、図８（ｂ）の明細シート、図８（ｅ）の商品群別領収書、図８（ｃ）の明細シート、図８（ｆ）の商品群別領収書、図８（ｄ）の明細シート、図８（ｇ）の商品群別領収書の順に発行してもよい。
以上により、顧客は、明細シートと商品群別領収書とを商品群別に整理したり、管理したりすることが容易となる。例えば、自分自身の買い物と依頼された買い物などのように、顧客が別会計を希望するような場合に、別会計とすべき商品群毎に分けて纏めた状態で明細シート及び商品群別領収書が発行されるので、会計ごとに明細シートと商品群別領収書とを整理したり、管理したりすることが容易となる。
【００５５】
また、上記実施形態では、分割宣言がなされた場合には、一括領収書と、分割枝番号毎の明細シートと、商品群別領収書とを発行するものとしたが、一括領収書と明細シートとは少なくとも一方を発行するようにしてもよい。即ち、分割宣言がなされた場合には、精算装置２０は、一括領収書と商品群別領収書とを発行し、分割枝番号毎の明細シートを発行しなくてもよいし、分割枝番号毎の明細シートと商品群別領収書とを発行し、一括領収書を発行しなくてもよい。
【００５６】
また、精算装置２０は、一括領収書、明細シート、商品群別領収書などとは異なるシート（例えば、「領収書控」、商品購入に対する謝意を表示したメッセージシートなど、店員によって回収されたり、他のシートと一緒に顧客に渡されたりするシート。追加シートとも称する）を発行してもよい。例えば、精算装置２０は、一括領収書、明細シート、商品群別領収書の各シートを発行する際に、各シートの間に挟むようにして、または最後の位置に纏めて追加シートを発行してもよい。このとき、各シートの間にはミシン目が設けられていてもよいし、各シートは分断寸前で繋がっていてもよい。とりわけ、追加シートとして「領収書控」を発行する場合には、全ての「領収書控」を最後に纏めて発行すれば、例えば分断寸前で繋がった全シートの末尾の位置に集められた状態で「領収書控」が発行される。このような発行形態を採用したならば、店員が「領収書控」を回収する必要がある場合でも、シートの末尾の位置に集められた複数の「領収書控」を一括して分断することにより、全ての「領収書控」の回収作業が行える。これにより、回収作業や回収した「領収書控」の管理を簡便にすることが可能となる。
【００５７】
また、上記実施形態では、分割された商品群の全部について商品群別領収書を発行する態様を説明したが、分割された商品群の一部について商品群別領収書を発行する態様としてもよい。例えば、商品群別領収書を発行する旨の指定があった商品群について商品群別領収書を発行するようにしてもよい。換言すれば、商品群毎に商品群別領収書を発行すべきか否かを入力させるようにするとともに、商品群別領収書を発行すべきであると入力された商品群のみについて商品群別領収書を発行するようにしてもよい。一例として、図８の例において、商品群別領収書を発行すべき入力があった商品群が「＃  １１０００２（１／３）」「＃  １１０００２（３／３）」であるときには、精算装置２０は、図８（ｆ）の商品群別領収書を発行せずに、図８（ｅ）及び図８（ｇ）の商品群別領収書を発行する。なお、商品群別領収書を発行する旨の指定（商品群毎に商品群別領収書を発行すべきか否かの入力）は、商品群の指定と、所定のキー（「領収書発行キー」など）によって行われるようにしてもよい。また、商品群別領収書を発行する旨の指定（商品群毎に商品群別領収書を発行すべきか否かの入力）は、分割宣言と同様、登録装置１０側においてなされてもよいし、商品群別領収書の発行と同様、精算装置２０側においてなされてもよい。なお、商品群別領収書を発行しない旨の指定があった商品群以外の商品群について商品群別領収書を発行するようにしてもよい。
【００５８】
また、上記実施形態では、分割宣言は、登録装置１０側においてなされるものとしたが、分割宣言は、登録装置１０側ではなく精算装置２０側においてなされてもよい。即ち、オペレータが登録装置１０において買上商品を商品群毎に分割する操作を行うのではなく、お客自らが精算装置２０において買上商品を商品群毎に分割する操作を行うようにしてもよい。例えば、精算装置２０においてお会計シートのバーコード情報を読み取ると表示部２０５に取引明細が表示され、お客が、精算装置２０の客用操作部２０６を操作して各商品群に分割してもよい。なお、精算装置２０は、お客の操作によって分割された商品群の全部について商品群別領収書を発行してもよいし、お客の指定に従って、商品群別領収書を発行する旨の指定があった商品群についてのみ商品群別領収書を発行してもよいし、商品群別領収書を発行しない旨の指定があった商品群以外の商品群について商品群別領収書を発行してもよい。
【００５９】
また、上記実施形態では、お会計シートに二次元バーコードを印刷する態様を示したが、お会計シートには、一次元バーコード（一次元のバーコード）を印刷するようにしてもよい。即ち、分割宣言をした取引においては、少なくとも「取引番号＋分割枝番号」をコード化した二次元バーコードを印刷する態様に代えて、例えば、「取引番号＋分割枝番号」のみをコード化した一次元バーコードを印刷してもよい。なお、「取引番号＋分割枝番号」のみをコード化した一次元バーコードをお会計シートに印刷する態様においては、「取引番号＋分割枝番号」のみをコード化した二次元バーコードをお会計シートに印刷する態様と同様、一次元バーコードから「取引番号＋分割枝番号」を抽出し、抽出された「取引番号＋分割枝番号」によって特定される明細情報をストアコントローラ３０から取得すればよい。
【００６０】
さらに、お会計シートに、二次元バーコードを印刷する場合であっても、一次元バーコードを印刷する場合であっても、「取引番号＋分割枝番号」ではなく取引番号のみをコード化して印刷するようにしてもよい。この場合には、分割宣言の有無にかかわらず、二次元バーコードまたは一次元バーコードから抽出される取引番号に対応する全ての取引の明細情報がストアコントローラ３０から取得される。つまり、分割宣言をした取引においては、全ての分割枝番号に対応する取引の明細情報がストアコントローラ３０から取得される。なお、お会計シートに取引番号のみをコード化した一次元バーコードを印刷する場合には、お会計シートに取引番号のみをコード化した二次元バーコードを印刷する場合と比較して、バーコードからより速い情報抽出を実現することが可能となる。
【００６１】
また、上記実施形態では、精算装置２０の精算処理は、登録装置１０において発行されたお会計シートを当該精算装置２０において読み取らせる動作によって開始されたが、精算装置２０の精算処理は、他の動作によって開始されてもよい。例えば、登録装置１０にて、オペレータが精算を行なうべき精算装置２０を指定（選択）し、当該精算装置２０にて顧客が所定の操作を実行することによって当該顧客の取引情報がストアコントローラ３０から呼び出され、当該精算装置２０にて精算処理が開始されてもよい。換言すれば、登録装置１０の登録処理から精算装置２０の精算処理に移行するのに際し、お会計シートを必ずしも用いなくてもよい。なお、登録装置１０のオペレータは、処理が混雑していない精算装置２０を指定し、指定した精算装置２０をお客に案内することが好ましい。
【００６２】
また、上記実施形態では、登録装置１０から精算装置２０に取引情報を送信する場合には、ストアコントローラ３０を介するものとした。しかし、ストアコントローラ３０を介さずに、登録装置１０から精算装置２０に直接的にデータ送信が行われる構成を採用してもよい。例えば、精算装置２０は、お会計シートの二次元バーコードまたは一次元バーコードを読み取ると、抽出された取引番号に対応する登録装置１０（特定のレジ番号の登録装置１０）に、当該取引番号に対応する取引の明細情報を要求する。この要求に応じて、登録装置１０は、記憶しておいた当該取引番号に対応する取引の明細情報を精算装置２０に送信する。
【００６３】
また、上記実施形態では、精算システム１が、買上商品の登録を行う登録装置１０と商品代金の精算を行う精算装置２０とを別個独立の装置として備える構成を説明したが、精算システム１は、別個独立した登録装置１０、精算装置２０に代えて、登録装置１０及び精算装置２０の機能を兼ね備える装置（一体型装置とも称する）を備えていてもよい。つまり、上記一体型装置が、買上商品の登録から商品代金の精算、精算がなされるときの一括領収書・明細シート・商品群別領収書の発行までを行うようにしてもよい。なお、上記一体型装置を備える構成においては、当該一体型装置が、本発明の各手段を備えることになる。
【００６４】
なお、上記各装置（登録装置１０、精算装置２０、一体型装置）の各処理を実行するためのプログラムをコンピュータ読み取り可能な記録媒体に記録して、当該記録媒体に記録されたプログラムをコンピュータシステムに読み込ませ、実行することにより、上記各装置の各処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００６６】
以上、この発明の実施形態について図面を参照して詳述してきたが、具体的な構成はこの実施形態に限られるものではなく、この発明の要旨を逸脱しない範囲の設計等も含まれる。なお、以下に付記を開示する。
（付記１）
一取引において登録される複数の購入商品について、少なくとも登録された購入商品の品目に関する情報が記された明細シートを複数の商品群に分けて発行する旨を宣言する分割手段と、一取引において登録される全ての購入商品について買上金額を精算する精算手段と、前記精算手段による精算がなされると、全ての購入商品の一括領収書と商品群毎の前記明細シートとの少なくとも一方を発行するとともに、前記商品群毎の商品群別領収書を発行する発行手段とを備えることを特徴とする。
付記１に係る領収書発行システムによれば、精算手段による精算がなされると、全ての購入商品の一括領収書と商品群毎の前記明細シートとの少なくとも一方、商品群毎の商品群別領収書が発行される。
従って、顧客は、例えば、全ての購入商品や購入サービスの精算代金を記載した一括領収書と、分割された商品群毎の精算代金を記載した商品群別領収書との両方を取得することが可能となる。また、顧客は、複数の明細シートを入手した場合には、別会計とすべき商品群毎に、登録された商品の品目に関する情報を確認することが可能となる。そのため、一括領収書、明細シート、商品群別領収書を参照または使用することにより、商品群別の整理や金銭の授受、税務申告などが自在に行えるようになる。
これにより、例えば、自分自身の買い物と依頼された買い物などのように、顧客が別会計を希望するような場合において、有用なレシートとともに、所望の領収書などを簡便に発行することができる。
（付記２）
付記２に係る領収書発行システムは、付記１に係る領収書発行システムにおいて、前記商品群毎に前記商品群別領収書を発行すべきか否かを入力する入力手段を更に備え、前記発行手段は、前記入力手段によって商品群別領収書を発行すべきであると入力された商品群のみについて前記商品群別領収書を発行することを特徴とする。
付記２に係る領収書発行システムによれば、顧客は、明細シートを分けて発行する旨
を宣言された複数の商品群のうち、商品群別領収書の発行を希望する商品群を自由に選択
することが可能となる。これにより、顧客は、一括領収書と重複して領収書の発行を希望
する商品群についてだけ分割された商品群別領収書を取得することができる。
（付記３）
付記３に係る領収書発行システムは、付記１又は付記２に係る精算システムにおいて、前記発行手段は、前記商品群別領収書を発行した場合には、前記商品群別領収書を発行した旨を記載した一括領収書を発行することを特徴とする。
付記３に係る領収書発行システムによれば、商品群別領収書を発行した場合には、一括領収書に商品群別領収書を発行した旨が記載される。そのため、顧客や第三者は、一括領収書の記載を確認するだけで、他に商品群別領収書が発行されていることを知ることが可能となる。これにより、同一の商品やサービスの購入に対して、一括領収書と商品群別領収書とを用いて二重に税務申告が行われることを回避することができる。
（付記４）
付記４に係る領収書発行システムは、付記１乃至付記３のいずれかに記載の領収書発行システムにおいて、前記発行手段は、前記商品群毎に纏めて、前記明細シート及び前記商品群別領収書を発行することを特徴とする。
付記４に係る領収書発行システムによれば、発行手段によって、商品群毎の複数の明細シート、商品群毎の複数の商品群別領収書が発行される際に、前記商品群毎に纏めた状態で発行処理がなされる。例えば、商品群がＡ，Ｂ，Ｃの３種類であれば、発行手段は、一括領収書、商品群Ａについての明細シート、商品群Ａについての商品群別領収書、商品群Ｂについての明細シート、商品群Ｂについての商品群別領収書、商品群Ｃについての明細シート、商品群Ｃについての商品群別領収書の順番で各シートを繋げて発行する。各シートの間にはミシン目が設けられていてもよいし、各シートは分断寸前で繋がっていてもよい。各シートは完全に分離しており、発行順番のみによって纏まりが表されていてもよい。
以上により、顧客は、明細シートと商品群別領収書とを商品群別に整理したり、管理したりすることが容易となる。
【符号の説明】
【００６７】
１…精算システム
１０、１０ａ、１０ｂ…登録装置
１１…登録カウンタ
２０、２０ａ、２０ｂ…精算装置
２１…精算カウンタ
３０…ストアコントローラ
４０…ＬＡＮ
１０１、２０１…ＣＰＵ
１０２、２０２…ＲＯＭ
１０３、２０３…ＲＡＭ
１０４、２０４…スキャナ部
１０５…店員用表示部
１０６…客用表示部
１０７…ハードディスク
１０８…店員用操作部
１０９、２０７…通信部
１１０、２０８…ブザー
１１１、２０９…印刷部
１１２、２１１…バス
２０５…表示部
２０６…客用操作部
２１０…釣銭機
【図１】
2017123204.tif 000003
【図２】
2017123204.tif 000004
【図３】
2017123204.tif 000005
【図４】
2017123204.tif 000006
【図５】
2017123204.tif 000007
【図６】
2017123204.tif 000008
【図７】
2017123204.tif 000009
【図８】
2017123204.tif 000010
【図９】
2017123204.tif 000011
【図１０】
2017123204.tif 000012
【図１１】
2017123204.tif 000013
【図１２】
2017123204.tif 000014